(57)【特許請求の範囲】
【請求項１】
ＤＱＰＳＫ変調の光信号を受信して復調するＤＱＰＳＫ光受信装置において、
第１のアームに設けられる第１の干渉計と、
第２のアームに設けられる第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタと、
前記第２の光−電気変換手段と第２のデータ再生回路との間から分岐した線路に設けられる第２のローパスフィルタと、
前記第１のローパスフィルタから出力される信号を増幅し、振幅制限する第１のリミッタアンプと、
前記第２のローパスフィルタから出力される信号を増幅し、振幅制限する第２のリミッタアンプと、
前記第１のリミッタアンプから出力される信号と前記第２のローパスフィルタから出力される信号とを乗算する第１のミキサと、
前記第２のリミッタアンプから出力される信号と前記第１のローパスフィルタから出力される信号とを乗算する第２のミキサと、
前記第１のミキサの出力を平均化する第１の平均化回路と、
前記第２のミキサの出力を平均化する第２の平均化回路と、
前記第１の平均化回路および前記第２の平均化回路から出力される信号に基づいて、前記第１の干渉計および前記第２の干渉計の位相を制御する干渉計制御部と、
を有することを特徴とするＤＱＰＳＫ光受信装置。
【請求項２】
前記第１の光−電気変換手段と前記第２の光−電気変換手段とのそれぞれの出力には、電流を電圧に変換する第１の電流−電圧変換アンプと第２の電流−電圧変換アンプとが接続されることを特徴とする請求項１記載のＤＱＰＳＫ光受信装置。
【請求項３】
前記第１の電流−電圧変換アンプおよび前記第２の電流−電圧変換アンプは、差動信号を出力することを特徴とする請求項２記載のＤＱＰＳＫ光受信装置。
【請求項４】
ＤＱＰＳＫ変調の光信号を受信して復調するＤＱＰＳＫ光受信装置において、
第１のアームに設けられる第１の干渉計と、
第２のアームに設けられる第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタおよび第２のローパスフィルタと、
前記第２の光−電気変換手段と第２のデータ再生回路との間から分岐した線路に設けられる第３のローパスフィルタおよび第４のローパスフィルタと、
前記第１のローパスフィルタから出力される信号を増幅し、振幅制限する第１のリミッタアンプと、
前記第３のローパスフィルタから出力される信号を増幅し、振幅制限する第２のリミッタアンプと、
前記第１のリミッタアンプから出力される信号と前記第４のローパスフィルタから出力される信号とを乗算する第１のミキサと、
前記第２のリミッタアンプから出力される信号と前記第２のローパスフィルタから出力される信号とを乗算する第２のミキサと、
前記第１のミキサの出力を平均化する第１の平均化回路と、
前記第２のミキサの出力を平均化する第２の平均化回路と、
前記第１の平均化回路および前記第２の平均化回路から出力される信号に基づいて、前記第１の干渉計および前記第２の干渉計の位相を制御する干渉計制御部と、
を有することを特徴とするＤＱＰＳＫ光受信装置。
【請求項５】
前記第１のアームの前記第１のローパスフィルタの分岐点と前記第２のローパスフィルタの分岐点との間に設けられる第１の電気分散補償装置と、
前記第２のアームの前記第３のローパスフィルタの分岐点と前記第４のローパスフィルタの分岐点との間に設けられる第２の電気分散補償装置と、
を有することを特徴とする請求項４記載のＤＱＰＳＫ光受信装置。
【請求項６】
前記第１のアームの前記第１のローパスフィルタの分岐点と前記第２のローパスフィルタの分岐点との間に設けられる第３のリミッタアンプと、
前記第２のアームの前記第３のローパスフィルタの分岐点と前記第４のローパスフィルタの分岐点との間に設けられる第４のリミッタアンプと、
を有することを特徴とする請求項５記載のＤＱＰＳＫ光受信装置。
【請求項７】
前記第３のリミッタアンプおよび前記第４のリミッタアンプは、差動信号を出力することを特徴とする請求項６記載のＤＱＰＳＫ光受信装置。
【請求項８】
前記第１のアームの前記第１のローパスフィルタの分岐点および前記第２のローパスフィルタの分岐点の後段に設けられる第５のリミッタアンプと、
前記第２のアームの前記第３のローパスフィルタの分岐点および前記第４のローパスフィルタの分岐点の後段に設けられる第６のリミッタアンプと、
を有することを特徴とする請求項５記載のＤＱＰＳＫ光受信装置。
【請求項９】
ＤＱＰＳＫ変調の光信号を受信して復調するＤＱＰＳＫ光受信装置において、
第１のアームに設けられた第１の干渉計と、
第２のアームに設けられた第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタおよび第２のローパスフィルタと、
前記第２の光−電気変換手段と第２のデータ再生回路との間から分岐した線路に設けられる第３のローパスフィルタおよび第４のローパスフィルタと、
前記第１のアームの前記第１のローパスフィルタの分岐点と前記第２のローパスフィルタの分岐点との間に設けられる第１のリミッタアンプと、
前記第２のアームの前記第３のローパスフィルタの分岐点と前記第４のローパスフィルタの分岐点との間に設けられる第２のリミッタアンプと、
前記第１のローパスフィルタの出力と前記第４のローパスフィルタの出力とを乗算する第１のミキサと、
前記第３のローパスフィルタの出力と前記第２のローパスフィルタの出力とを乗算する第２のミキサと、
前記第１のミキサの出力を平均化する第１の平均化回路と、
前記第２のミキサの出力を平均化する第２の平均化回路と、
前記第１の平均化回路および前記第２の平均化回路から出力される信号に基づいて、前記第１の干渉計および前記第２の干渉計の位相を制御する干渉計制御部と、
を有することを特徴とするＤＱＰＳＫ光受信装置。
【請求項１０】
前記第１のアームの前記第１のローパスフィルタの分岐点と前記第２のローパスフィルタの分岐点との間に設けられる第１の電気分散補償装置と、
前記第２のアームの前記第３のローパスフィルタの分岐点と前記第４のローパスフィルタの分岐点との間に設けられる第２の電気分散補償装置と、
を有することを特徴とする請求項９記載のＤＱＰＳＫ光受信装置。
【発明の詳細な説明】
【技術分野】
【０００１】
本発明はＤＱＰＳＫ光受信装置に関し、特にＤＱＰＳＫ（Differential Quadrature Phase Shift Keying）変調の光信号を受信して復調するＤＱＰＳＫ光受信装置に関する。
【背景技術】
【０００２】
近年、次世代の４０Ｇｂｉｔ／ｓ光伝送システムの導入の要求が高まっている。この次世代光伝送システムは、１０Ｇｂｉｔ／ｓ光伝送システムと同等の伝送距離や周波数利用効率が求められている。
【０００３】
次世代光伝送システムの実現手段として、新規変調方式の検討がなされており、従来のＮＲＺ（NonReturn-to-Zero）変調方式などと比較して、信号スペクトル幅が半分、また、周波数利用効率、波長分散耐力やデバイス透過特性などの点で優れているＤＱＰＳＫ変調方式の適用検討が活発化している。
【０００４】
ＤＱＰＳＫ変調方式を用いた光伝送システムの受信装置は、Ａアーム（Ｉアーム）およびＢアーム（Ｑアーム）に対応して１組のマッハツェンダ光干渉計を備える。各マッハツェンダ光干渉計は、光伝送システムのシンボル時間に相当する光遅延量τを備えている。また、光干渉計のアーム間の光位相差は、Ａアームでは「π／４」に設定され、Ｂアームでは「−π／４」に設定される。各光干渉計の２つの出力端子には、光−電気変換を行う受光回路が接続され、受光回路の後段には、電気信号の‘０’，‘１’を識別して出力するデータ再生回路が接続される。
【０００５】
上記受信装置では、信号特性確保のために、光干渉計のアーム間の光位相差を正確に「π／４」、「−π／４」に制御する必要がある。そのため、フィードバック制御は、必須の重要技術となっている。このフィードバック制御の１つに、ＡアームおよびＢアームの受光回路後段の分岐信号と、データ再生回路後段の分岐信号とを用いたフィードバック制御がある（例えば、特許文献１参照）。
【０００６】
ＤＱＰＳＫ光受信装置では、装置の維持・管理を容易にするため、各部がモジュール化される。例えば、特許文献１の図１において、バランスド光検出器１１０，１１３を１つのモジュールで構成し、データ再生回路１１１，１１４を１つのモジュールで構成することが考えられる。
【０００７】
モジュールの構成は、装置ごとにおいて異なるのが一般的である。例えば、特許文献１の図１において、データ再生回路１１１，１１４は、データ再生回路の後段にある信号処理回路に組み込まれ、データ再生回路と信号処理回路とを１つのモジュールとして構成する場合もある。
【０００８】
装置の低コスト化・小型化を図るには、フィードバック制御の分岐点（受光回路後段の分岐信号とデータ再生回路後段の分岐信号とを得る点）は、装置によらず１つのモジュール内に存在しているのが好ましい。そこで、データ再生回路を介さずにフィードバック信号を取り出すことが考えられる。
【０００９】
例えば、特許文献１の図１において、ミキサ１２０に入力する信号を、信号１２５ではなく信号１２４にし、ミキサ１１６に入力する信号を、信号１２９ではなく信号１２８にする。この場合、フィードバック制御の分岐点は、バランスド光検出器１１０，１１３のモジュール内に存在させることが可能となり、データ再生回路１１１，１１４が別のモジュールに組み込まれても、バランスド光検出器１１０，１１３のモジュールから常にフィードバック信号の配線を引き出すことが可能となる。
【特許文献１】特開２００７−２０１３８号公報
【発明の開示】
【発明が解決しようとする課題】
【００１０】
しかし、データ再生回路を介さずにフィードバック信号を得ると、光干渉計の位相最適点とフィードバック信号とにずれが生じ、信号特性が劣化してしまうという問題点があった。
【００１１】
本発明はこのような点に鑑みてなされたものであり、データ再生回路後段の信号をフィードバックしなくても、適正にフィードバック制御をすることができるＤＱＰＳＫ光受信装置を提供することを目的とする。
【課題を解決するための手段】
【００１２】
本発明では上記問題を解決するために、ＤＱＰＳＫ変調の光信号を受信して復調するＤＱＰＳＫ光受信装置が提供される。このＤＱＰＳＫ光受信装置は、第１のアームに設けられる第１の干渉計と、第２のアームに設けられる第２の干渉計と、前記第１の干渉計から出力される光信号を電気信号に変換する第１の光−電気変換手段と、前記第２の干渉計から出力される光信号を電気信号に変換する第２の光−電気変換手段と、前記第１の光−電気変換手段と第１のデータ再生回路との間から分岐した線路に設けられる第１のローパスフィルタと、前記第２の光−電気変換手段と第２のデータ再生回路との間から分岐した線路に設けられる第２のローパスフィルタと、前記第１のローパスフィルタから出力される信号を増幅し、振幅制限する第１のリミッタアンプと、前記第２のローパスフィルタから出力される信号を増幅し、振幅制限する第２のリミッタアンプと、前記第１のリミッタアンプから出力される信号と前記第２のローパスフィルタから出力される信号とを乗算する第１のミキサと、前記第２のリミッタアンプから出力される信号と前記第１のローパスフィルタから出力される信号とを乗算する第２のミキサと、を有する。
【００１３】
このようなＤＱＰＳＫ光受信装置によれば、第１のリミッタアンプから出力される信号と第２のローパスフィルタから出力される信号とを乗算し、第２のリミッタアンプから出力される信号と第１のローパスフィルタから出力される信号とを乗算する。
【００１４】
また、本発明では上記問題を解決するために、ＤＱＰＳＫ変調の光信号を受信して復調するＤＱＰＳＫ光受信装置が提供される。このＤＱＰＳＫ光受信装置は、第１のアームに設けられる第１の干渉計と、第２のアームに設けられる第２の干渉計と、前記第１の干渉計から出力される光信号を電気信号に変換する第１の光−電気変換手段と、前記第２の干渉計から出力される光信号を電気信号に変換する第２の光−電気変換手段と、前記第１の光−電気変換手段と第１のデータ再生回路との間から分岐した線路に設けられる第１のローパスフィルタおよび第２のローパスフィルタと、前記第２の光−電気変換手段と第２のデータ再生回路との間から分岐した線路に設けられる第３のローパスフィルタおよび第４のローパスフィルタと、前記第１のローパスフィルタから出力される信号を増幅し、振幅制限する第１のリミッタアンプと、前記第３のローパスフィルタから出力される信号を増幅し、振幅制限する第２のリミッタアンプと、前記第１のリミッタアンプから出力される信号と前記第４のローパスフィルタから出力される信号とを乗算する第１のミキサと、前記第２のリミッタアンプから出力される信号と前記第２のローパスフィルタから出力される信号とを乗算する第２のミキサと、を有する。
【００１５】
このようなＤＱＰＳＫ光受信装置によれば、第１のリミッタアンプから出力される信号と第４のローパスフィルタから出力される信号とを乗算し、第２のリミッタアンプから出力される信号と第２のローパスフィルタから出力される信号とを乗算する。
【００１６】
また、本発明では上記問題を解決するために、ＤＱＰＳＫ変調の光信号を受信して復調するＤＱＰＳＫ光受信装置が提供される。このＤＱＰＳＫ光受信装置は、第１のアームに設けられた第１の干渉計と、第２のアームに設けられた第２の干渉計と、前記第１の干渉計から出力される光信号を電気信号に変換する第１の光−電気変換手段と、前記第２の干渉計から出力される光信号を電気信号に変換する第２の光−電気変換手段と、前記第１の光−電気変換手段と第１のデータ再生回路との間から分岐した線路に設けられる第１のローパスフィルタおよび第２のローパスフィルタと、前記第２の光−電気変換手段と第２のデータ再生回路との間から分岐した線路に設けられる第３のローパスフィルタおよび第４のローパスフィルタと、前記第１のアームの前記第１のローパスフィルタの分岐点と前記第２のローパスフィルタの分岐点との間に設けられる第１のリミッタアンプと、前記第２のアームの前記第３のローパスフィルタの分岐点と前記第４のローパスフィルタの分岐点との間に設けられる第２のリミッタアンプと、前記第１のローパスフィルタの出力と前記第４のローパスフィルタの出力とを乗算する第１のミキサと、前記第３のローパスフィルタの出力と前記第２のローパスフィルタの出力とを乗算する第２のミキサと、を有する。
【００１７】
このようなＤＱＰＳＫ光受信装置によれば、第１のアームの第１のローパスフィルタの分岐点と第２のローパスフィルタの分岐点との間に第１のリミッタアンプが設けられ、第２のアームの第３のローパスフィルタの分岐点と第４のローパスフィルタの分岐点との間に第２のリミッタアンプが設けられる。そして、第１のローパスフィルタの出力と第４のローパスフィルタの出力とを乗算し、第３のローパスフィルタの出力と第２のローパスフィルタの出力とを乗算する。
【発明の効果】
【００１８】
開示の装置では、適正にフィードバック制御をすることができる。
【発明を実施するための最良の形態】
【００１９】
以下、本発明の第１の実施の形態を図面を参照して詳細に説明する。
図１は、第１の実施の形態に係るＤＱＰＳＫ光受信装置のブロック構成図である。図に示すように、ＤＱＰＳＫ光受信装置は、Ａアーム１０ａとＢアーム１０ｂのそれぞれに設けられたマッハツェンダ光干渉計２０ａ，２０ｂ、フロントエンドモジュール３０、ＣＤＲ（Clock Data Recovery）／ＤＥＭＵＸ４０、および位相制御部５０を有している。図のＤＱＰＳＫ光受信装置には、例えば、ＤＱＰＳＫ変調された４０Ｇｂｉｔ／ｓの光信号が入力される。
【００２０】
マッハツェンダ光干渉計２０ａ，２０ｂはそれぞれ、光遅延要素２１ａ，２１ｂおよび移相要素２２ａ，２２ｂ（図中π／４，−π／４）を有している。光遅延要素２１ａ，２１ｂは、受信された光信号を１シンボル時間だけ遅延させる。ＤＱＰＳＫにおいては、１つのシンボルで２ビットのデータを伝送するので、１シンボル時間は、伝送レートの逆数の２倍に相当する。
【００２１】
移相要素２２ａは、光信号の位相をπ／４だけシフトさせる。移相要素２２ｂは、光信号の位相を−π／４だけシフトさせる。移相要素２２ａ，２２ｂは、位相制御部５０の制御によって、シフトさせる位相量を調整することができる。
【００２２】
フロントエンドモジュール３０は、光信号を電気信号に変換するモジュールであり、バランスド光検出器３１ａ，３１ｂおよびＴＩＡ（Transfer Impedance amplifier）３２ａ，３２ｂを有している。
【００２３】
バランスド光検出器３１ａは、２つのフォトダイオードを備え、それぞれのフォトダイオードには、マッハツェンダ光干渉計２０ａから出力される１組の光信号が入射される。２つのフォトダイオードは、入射される光信号のパワーに応じた電流を生成し、生成した電流の差を、ＴＩＡ３２ａに出力する。バランスド光検出器３１ｂもバランスド光検出器３１ａと同様に、２つのフォトダイオードを備え、マッハツェンダ光干渉計２０ｂから出力される１組の光信号のパワーに応じた電流を生成し、生成した電流の差を、ＴＩＡ３２ｂに出力する。
【００２４】
ＴＩＡ３２ａ，３２ｂは、バランスド光検出器３１ａ，３１ｂから出力される電流の差を電圧に変換する。
ＣＤＲ／ＤＥＭＵＸ４０は、ＴＩＡ３２ａ，３２ｂから出力される電圧に応じて、２ビットの送信データを再生するモジュールである。ＣＤＲ／ＤＥＭＵＸ４０は、例えば、Ａアーム１０ａとＢアーム１０ｂのそれぞれに対応してデータ再生回路（ＣＤＲ）を有し、ＴＩＡ３２ａ，３２ｂから出力される信号に基づいて‘０’，‘１’の信号を識別し、デジタルデータを得る。ＣＤＲ／ＤＥＭＵＸ４０は、データ再生回路から得られたデジタルデータに基づいて、２ビットの送信データを再生し、例えば、２．５Ｇｂｉｔ／ｓ×１６のデータ信号や１０Ｇｂｉｔ／ｓ×４のデータ信号を得る。
【００２５】
なお、マッハツェンダ光干渉計２０ａ，２０ｂは、例えば、特許文献１の図１のマッハツェンダ光干渉計１０４，１０７に対応し、フロントエンドモジュール３０のバランスド光検出器３１ａ，３１ｂは、バランスド光検出器１１０，１１３に対応する。また、ＣＤＲ／ＤＥＭＵＸ４０は、当業者によってよく知られたデバイスを用いることができ、ＣＤＲ／ＤＥＭＵＸ４０に含まれるデータ再生回路は、特許文献１の図１のデータ再生回路１１１，１１４に対応する。以下、位相制御部５０について詳細に説明する。
【００２６】
位相制御部５０は、フロントエンドモジュール３０のＴＩＡ３２ａ，３２ｂから出力される信号をフィードバックし、Ａアーム１０ａおよびＢアーム１０ｂの光位相差を「π／４」、「−π／４」に制御する。位相制御部５０は、ＬＰＦ（Low Pass Filter）５１ａ，５１ｂ、ＬＩＡ（Limiter amplifier）５２ａ，５２ｂ、ミキサ５３ａ，５３ｂ、平均化回路５４ａ，５４ｂ、および干渉計制御部５５を有している。
【００２７】
ＬＰＦ５１ａは、Ａアーム１０ａのバランスド光検出器３１ａとＣＤＲ／ＤＥＭＵＸ４０との間で分岐した線路に設けられている。ＬＰＦ５１ｂは、Ｂアーム１０ｂのバランスド光検出器３１ｂとＣＤＲ／ＤＥＭＵＸ４０との間で分岐した線路に設けられている。すなわち、フィードバック信号は、データ再生回路を介さずに、位相制御部５０に入力されるようになっている。
【００２８】
ＬＰＦ５１ａ，５１ｂは、ＴＩＡ３２ａ，３２ｂから出力されるＡアーム１０ａおよびＢアーム１０ｂの電気信号の高周波成分をカットする。ＬＰＦ５１ａ，５１ｂのカットオフ周波数は、例えば、１００ＭＨｚである。ＬＰＦ５１ａは、Ａアーム１０ａの電気信号の高周波成分をカットして、ＬＩＡ５２ａとミキサ５３ｂとに出力（分岐して出力）し、ＬＰＦ５１ｂは、Ｂアーム１０ｂの電気信号の高周波成分をカットして、ＬＩＡ５２ｂとミキサ５３ａとに出力する。
【００２９】
ＬＩＡ５２ａ，５２ｂは、ＬＰＦ５１ａ，５１ｂから出力される信号を増幅し、増幅した信号の振幅を制限して出力する。
ミキサ５３ａは、ＬＩＡ５２ａから出力される信号と、ＬＰＦ５１ｂから出力される信号とを乗算する。ミキサ５３ｂは、ＬＩＡ５２ｂから出力される信号と、ＬＰＦ５１ａから出力される信号とを乗算する。すなわち、ミキサ５３ａは、高周波成分がカットされ、増幅して振幅制限されたＡアーム１０ａの電気信号と、高周波成分がカットされたＢアーム１０ｂの電気信号とを乗算する。ミキサ５３ｂは、高周波成分がカットされ、増幅して振幅制限されたＢアーム１０ｂの電気信号と、高周波成分がカットされたＡアーム１０ａの電気信号とを乗算する。
【００３０】
平均化回路５４ａ，５４ｂは、ミキサ５３ａ，５３ｂから出力される信号を平均化して出力する。平均化回路５４ａ，５４ｂは、例えば、ＬＰＦで構成される。
干渉計制御部５５は、平均化回路５４ａ，５４ｂから出力される信号に応じて、移相要素２２ａ，２２ｂを制御する。平均化回路５４ａ，５４ｂからは、移相要素２２ａ，２２ｂの位相の進みおよび遅れに応じた正負の信号（電圧）が出力され、干渉計制御部５５は、平均化回路５４ａ，５４ｂから出力される信号が‘０’となるように、移相要素２２ａ，２２ｂを制御する。
【００３１】
なお、ミキサ５３ａ，５３ｂ、平均化回路５４ａ，５４ｂ、および干渉計制御部５５は、例えば、特許文献１の図１のミキサ１１６，１２０、平均化部１１７，１２１、および位相調整部１１９，１２３（反転回路１２２を含む）に対応する。
【００３２】
図２は、ＬＩＡの機能を説明する図である。ＬＩＡ５２ａ，５２ｂは、同じ機能を有するので、以下では、ＬＩＡ５２ａについてのみ説明する。
図２（ａ）には、ＬＩＡ５２ａに入力される信号波形（Ｉパターン）の例が示してある。図２（ｂ）には、ＬＩＡ５２ａの入力信号増幅後の信号波形が示してある。図２（ｃ）には、ＬＩＡ５２ａの振幅制限をかける様子を示してある。図２（ｄ）には、ＬＩＡ５２ａの振幅制限後の信号波形が示してある。
【００３３】
ＬＩＡ５２ａには、図２（ａ）に示すような信号が入力される。ＬＩＡ５２ａは、入力された信号を図２（ｂ）に示すように増幅する。
ＬＩＡ５２ａは、図２（ｃ）の点線に示すように、増幅した信号の上側および下側の振幅をカットする。そして、図２（ｄ）に示すように、入力した信号を増幅して振幅制限した信号を出力する。
【００３４】
ＬＩＡ５２ａに入力される信号は、立上りおよび立下りが緩く、また、様々なノイズ成分が含まれる。しかし、ＬＩＡ５２ａは、入力される信号を増幅し、その上側および下側の振幅に制限をかけるので、信号の立上りおよび立下りを急峻にし、信号の‘０’，‘１’を明確にして余計なノイズ成分を除去する。すなわち、ＬＩＡ５２ａは、信号の波形整形を行っている。
【００３５】
つまり、図１のＤＱＰＳＫ光受信装置は、データ再生回路の後段からデジタル信号のフィードバック信号を得なくても、ＬＩＡ５２ａ，５２ｂによって、ＴＩＡ３２ａ，３２ｂから出力されるアナログ信号を‘０’，‘１’の明確な信号波形に整形するので、データ再生回路の後段でフィードバック信号を得るのと同様に、Ａアーム１０ａおよびＢアーム１０ｂの光位相差を正確に制御することができる。
【００３６】
また、図１のＤＱＰＳＫ光受信装置では、位相制御部５０は、ＣＤＲ／ＤＥＭＵＸ４０に組み込まれたデータ再生回路の後段から信号を取り込む必要がなく、バランスド光検出器３１ａ，３１ｂの後段から信号を取り込むことができる。すなわち、図１のＤＱＰＳＫ光受信装置では、データ再生回路がどのモジュールに組み込まれようと、常にフロントエンドモジュール３０から、フィードバック信号の配線を引き出すことが可能となり、様々な構成のＤＱＰＳＫ光受信装置に適用することが可能となる。
【００３７】
図３は、位相制御部の制御シミュレーション結果を示した図である。図の横軸は、移相要素２２ａの位相を示している。縦軸は、平均化回路５４ａから出力されるモニタ信号の電圧を示している。図の実線グラフは、図１のＤＱＰＳＫ光受信装置の制御シミュレーション結果を示しており、点線グラフは、図１のＤＱＰＳＫ光受信装置において、ＬＩＡ５２ａ，５２ｂを設けなかった場合の制御シミュレーション結果を示している。
【００３８】
フィードバック制御は、平均化回路５４ａから出力される電圧が‘０’のとき、移相要素２２ａの位相がπ／４（４５度）であることが望ましい。図１のＤＱＰＳＫ光受信装置では、図３の実線グラフに示すように、モニタ信号の電圧が‘０’のとき、移相要素２２ａの位相はπ／４となっている。
【００３９】
一方、図１のＤＱＰＳＫ光受信装置において、ＬＩＡ５２ａ，５２ｂを設けない場合、図３の点線グラフに示すように、モニタ信号の電圧が‘０’のとき、移相要素２２ａの位相はπ／４とならない。これは、バランスド光検出器３１ａから出力される信号がＬＩＡ５２ａによって波形整形されないためである。従って、干渉計制御部５５が平均化回路５４ａから出力される電圧を‘０’になるよう制御すると、移相要素２２ａの位相は、図３の点線矢印に示すように、π／４と異なる値に制御される。
【００４０】
このように、データ再生回路前段の信号をＬＩＡ５２ａ，５２ｂによって波形整形してフィードバック処理をするので、適正にフィードバック制御をすることができる。
また、データ再生回路を介さずにその前段でフィードバック信号を取り出すので、１つのモジュールからフィードバックのための配線を引き回すことが可能となり、装置の低コスト化・小型化を図ることができる。
【００４１】
また、データ再生回路を介さずにその前段でフィードバック信号を取り出すので、様々なモジュール構成のＤＱＰＳＫ光受信装置に適用することができる。
また、ＬＩＡ５２ａ，５２ｂは、ＬＰＦ５１ａ，５１ｂから出力される信号を振幅制限するので、低速のＬＩＡを用いることができ、低コスト化を図ることができる。
【００４２】
また、ＬＰＦ５１ａは、高周波成分をカットした信号をＬＩＡ５２ａとミキサ５３ａとに出力し、ＬＰＦ５１ｂは、高周波成分をカットした信号をＬＩＡ５２ｂとミキサ５３ｂとに出力するので、フィードバック信号のための分岐点が２点で済む。
【００４３】
次に、本発明の第２の実施の形態を図面を参照して詳細に説明する。第１の実施の形態では、ＡアームおよびＢアームのそれぞれから１つの信号線を引き出してＬＰＦに接続し、ＬＰＦの出力をＬＩＡとミキサとに分岐させていた。第２の実施の形態では、ＡアームおよびＢアームのそれぞれから２つの信号線を引き出し、それぞれの信号線にＬＰＦを接続する。そして、ＬＰＦの出力にＬＩＡを接続するようにする。
【００４４】
図４は、第２の実施の形態に係るＤＱＰＳＫ光受信装置のブロック構成図である。図４において、図１と同じものには同じ符号を付し、その説明を省略する。なお、図４のＤＱＰＳＫ光受信装置では、フィードバック信号を得るポイントおよび位相制御部６０の構成が図１のＤＱＰＳＫ光受信装置と異なる。
【００４５】
図に示すように、位相制御部６０は、ＬＰＦ６１ａ，６１ｂ，６２ａ，６２ｂ、ＬＩＡ６３ａ，６３ｂ、ミキサ６４ａ，６４ｂ、平均化回路６５ａ，６５ｂ、および干渉計制御部６６を有している。平均化回路６５ａ，６５ｂおよび干渉計制御部６６は、図１の平均化回路５４ａ，５４ｂおよび干渉計制御部５５と同様である。
【００４６】
ＬＰＦ６１ａ，６２ａは、Ａアーム１０ａのバランスド光検出器３１ａとＣＤＲ／ＤＥＭＵＸ４０との間で分岐した線路に設けられている。ＬＰＦ６１ｂ，６２ｂは、Ｂアーム１０ｂのバランスド光検出器３１ｂとＣＤＲ／ＤＥＭＵＸ４０との間で分岐した線路に設けられている。すなわち、フィードバック信号は、データ再生回路を介さずに、位相制御部６０に入力されるようになっている。
【００４７】
ＬＰＦ６１ａには、ＴＩＡ３２ａから出力されるＡアーム１０ａの信号が入力され、ＬＰＦ６１ｂには、ＴＩＡ３２ｂから出力されるＢアーム１０ｂの信号が入力される。ＬＰＦ６２ａには、ＴＩＡ３２ａから出力されるＡアーム１０ａの信号が入力され、ＬＰＦ６２ｂには、ＴＩＡ３２ｂから出力されるＢアーム１０ｂの信号が入力される。なお、ＬＰＦ６１ａ，６１ｂ，６２ａ，６２ｂは、図１のＬＰＦ５１ａ，５１ｂと同様の機能を有し、カットオフ周波数は、例えば、１００ＭＨｚである。
【００４８】
ＬＩＡ６３ａ，６３ｂには、ＬＰＦ６２ａ，６２ｂから出力される信号が入力される。ＬＩＡ６３ａ，６３ｂは、図１のＬＩＡ５２ａ，５２ｂと同様の機能を有し、ＬＰＦ６２ａ，６２ｂから出力される信号を増幅し、増幅した信号の振幅を制限する。
【００４９】
ミキサ６４ａは、ＬＰＦ６１ａから出力される信号と、ＬＩＡ６３ｂから出力される信号とを乗算する。ミキサ６４ｂは、ＬＰＦ６１ｂから出力される信号と、ＬＩＡ６３ａから出力される信号とを乗算する。すなわち、ミキサ６４ａは、高周波成分がカットされたＡアーム１０ａの信号と、高周波成分がカットされ、増幅して振幅制限されたＢアーム１０ｂの信号とを乗算する。ミキサ６４ｂは、高周波成分がカットされたＢアーム１０ｂの信号と、高周波成分がカットされ、増幅して振幅制限されたＡアーム１０ａの信号とを乗算する。
【００５０】
すなわち、図４のＤＱＰＳＫ光受信装置は、データ再生回路の後段からデジタル信号のフィードバック信号を得なくても、ＬＩＡ６３ａ，６３ｂによって、ＴＩＡ３２ａ，３２ｂから出力されるアナログ信号を‘０’，‘１’の明確な信号波形に整形するので、データ再生回路の後段でフィードバック信号を得るのと同様に、Ａアーム１０ａおよびＢアーム１０ｂの光位相差を正確に制御することができる。
【００５１】
なお、図４のＤＱＰＳＫ光受信装置は、図１のＤＱＰＳＫ光受信装置と構成が異なるだけで、機能は同じである。従って、図４に示すＤＱＰＳＫ光受信装置の位相制御部６０の制御シミュレーション結果は、図３と同じになる。
【００５２】
このように、データ再生回路前段の信号をＬＩＡ６３ａ，６３ｂによって波形整形してフィードバック処理をするので、適正にフィードバック制御をすることができる。
次に、本発明の第３の実施の形態を図面を参照して詳細に説明する。第３の実施の形態では、第２の実施の形態に対し、ＴＩＡの出力にＥＤＣ（Electronic Dispersion Compensation）が接続される。
【００５３】
図５は、第３の実施の形態に係るＤＱＰＳＫ光受信装置のブロック構成図である。図５において、図４と同じものには同じ符号を付し、その説明を省略する。なお、図５のＤＱＰＳＫ光受信装置では、図４のＤＱＰＳＫ光受信装置に対し、フロントエンドモジュール７０の構成が異なる。
【００５４】
フロントエンドモジュール７０は、ＥＤＣ７１ａ，７１ｂを有している。ＥＤＣ７１ａは、Ａアーム１０ａのＬＰＦ６１ａの分岐点とＬＰＦ６２ａの分岐点との間に設けられている。ＥＤＣ７１ｂは、Ｂアーム１０ｂのＬＰＦ６１ｂの分岐点とＬＰＦ６２ｂの分岐点との間に設けられている。
【００５５】
ＥＤＣ７１ａ，７１ｂは、光分散を電気的に補償する装置である。ＴＩＡ３２ａ，３２ｂから出力される信号は、ＥＤＣ７１ａ，７１ｂによって、電気的に光分散補償され、ＣＤＲ／ＤＥＭＵＸ４０に出力される。
【００５６】
位相制御部６０のＬＰＦ６１ａ，６１ｂには、図４と同様に、ＴＩＡ３２ａ，３２ｂの出力の信号が分岐して入力される。しかし、ＬＰＦ６２ａ，６２ｂには、ＥＤＣ７１ａ，７１ｂの出力の信号が分岐して入力される。位相制御部６０は、ＬＰＦ６２ａ，６２ｂにＥＤＣ７１ａ，７１ｂを介した信号が入力されても、移相要素２２ａ，２２ｂの位相制御を適正に行うことができる。
【００５７】
図６は、位相制御部の制御シミュレーション結果を示した図である。図の横軸は、移相要素２２ａの位相を示している。縦軸は、平均化回路６５ａから出力されるモニタ信号の電圧を示している。図の実線グラフは、図５のＤＱＰＳＫ光受信装置の制御シミュレーション結果を示しており、点線グラフは、図５のＤＱＰＳＫ光受信装置において、ＬＩＡ６３ａ，６３ｂを設けなかった場合の制御シミュレーション結果を示している。
【００５８】
位相制御部６０は、平均化回路６５ａ，６５ｂから出力される電圧が‘０’になるように制御する。従って、フィードバック制御は、平均化回路６５ａから出力される電圧が‘０’のとき、移相要素２２ａの位相がπ／４（４５度）であることが望ましい。図５のＤＱＰＳＫ光受信装置では、図６の実線グラフに示すように、モニタ信号の電圧が‘０’のとき、移相要素２２ａの位相はπ／４となっている。
【００５９】
一方、図５のＤＱＰＳＫ光受信装置において、ＬＩＡ６３ａ，６３ｂを設けない場合、図６の点線グラフに示すように、モニタ信号の電圧が‘０’のとき、移相要素２２ａの位相はπ／４とならない。これは、バランスド光検出器３１ａから出力される信号がＬＩＡ６３ａによって波形整形されないためである。従って、干渉計制御部６６が平均化回路６５ａから出力される電圧を‘０’になるよう制御すると、移相要素２２ａの位相は、図６の点線矢印に示すように、π／４と異なる値に制御される。
【００６０】
このように、フィードバックする信号にＥＤＣ７１ａ，７１ｂによって電気分散補償が行われても、適正にフィードバック制御をすることができる。
次に、本発明の第４の実施の形態を図面を参照して詳細に説明する。第４の実施の形態では、第３の実施の形態に対し、ＥＤＣの後段にＬＩＡが接続される。
【００６１】
図７は、第４の実施の形態に係るＤＱＰＳＫ光受信装置のブロック構成図である。図７において、図５と同じものには同じ符号を付し、その説明を省略する。なお、図７のＤＱＰＳＫ光受信装置では、図５のＤＱＰＳＫ光受信装置に対し、フロントエンドモジュール８０の構成が異なる。
【００６２】
フロントエンドモジュール８０は、図５のフロントエンドモジュール７０に対し、さらに、ＬＩＡ８１ａ，８１ｂを有している。ＬＩＡ８１ａは、Ａアーム１０ａのＬＰＦ６１ａの分岐点とＬＰＦ６２ａの分岐点との間に設けられている。ＬＩＡ８１ｂは、Ｂアーム１０ｂのＬＰＦ６１ｂの分岐点とＬＰＦ６２ｂの分岐点との間に設けられている。
【００６３】
ＬＩＡ８１ａ，８１ｂは、ＬＩＡ６３ａ，６３ｂと同様に、ＥＤＣ７１ａ，７１ｂから出力される信号を増幅し、増幅した信号の振幅を制限して出力する。これにより、波形整形された信号がＣＤＲ／ＤＥＭＵＸ４０およびＬＰＦ６２ａ，６２ｂに出力される。
【００６４】
ただし、ＬＩＡ８１ａ，８１ｂは、主信号を増幅および振幅制限するため、ＬＰＦ６２ａ，６２ｂから出力される信号を増幅および振幅制限するＬＩＡ６３ａ，６３ｂより高速のＬＩＡである必要がある。
【００６５】
このように、ＥＤＣ７１ａ，７１ｂの後段にＬＩＡ８１ａ，８１ｂを設けても、適正にフィードバック制御をすることができる。
次に、本発明の第５の実施の形態を図面を参照して詳細に説明する。第５の実施の形態では、第４の実施の形態に対し、位相制御部のフィードバック信号の分岐点とＣＤＲ／ＤＥＭＵＸとの間にＬＩＡが接続される。
【００６６】
図８は、第５の実施の形態に係るＤＱＰＳＫ光受信装置のブロック構成図である。図８において、図７と同じものには同じ符号を付し、その説明を省略する。なお、図８のＤＱＰＳＫ光受信装置では、図７のＤＱＰＳＫ光受信装置に対し、フロントエンドモジュール９０の構成が異なる。
【００６７】
フロントエンドモジュール９０のＬＩＡ９１ａは、Ａアーム１０ａのＬＰＦ６１ａ，６２ａの分岐点の後段に設けられている。ＬＩＡ９１ｂは、Ｂアーム１０ｂのＬＰＦ６１ｂ，６２ｂの分岐点の後段に設けられている。すなわち、ＬＩＡ９１ａ，９１ｂによって増幅され、振幅制限された信号は、ＣＤＲ／ＤＥＭＵＸ４０にのみ出力され、ＬＰＦ６１ａ，６１ｂ，６２ａ，６２ｂには、出力されないようになっている。
【００６８】
図８に示すように、ＬＩＡ９１ａ，９１ｂは、Ａアーム１０ａおよびＢアーム１０ｂのＬＰＦ６２ａ，６２ｂへの分岐点の後段に設けてもよい。フィードバック信号は、位相制御部６０のＬＩＡ６３ａ，６３ｂによって、波形整形されるからである。
【００６９】
このように、Ａアーム１０ａおよびＢアーム１０ｂのＬＰＦ６２ａ，６２ｂへの分岐点の後段にＬＩＡ９１ａ，９１ｂを設けても、適正にフィードバック制御をすることができる。
【００７０】
次に、本発明の第６の実施の形態を図面を参照して詳細に説明する。第６の実施の形態では、第２の実施の形態に対し、フロントエンドモジュールにＬＩＡが追加され、位相制御部のＬＩＡが省略されている。
【００７１】
図９は、第６の実施の形態に係るＤＱＰＳＫ光受信装置のブロック構成図である。図９において、図４と同じものには同じ符号を付し、その説明を省略する。なお、図９のＤＱＰＳＫ光受信装置では、図４のＤＱＰＳＫ光受信装置に対し、フロントエンドモジュール１００の構成および位相制御部１１０の構成が異なる。
【００７２】
フロントエンドモジュール１００は、図４のフロントエンドモジュール３０に対し、
Ａアーム１０ａのＬＰＦ６１ａの分岐点とＬＰＦ６２ａの分岐点との間にＬＩＡ１０１ａを有している。また、Ｂアーム１０ｂのＬＰＦ６１ｂの分岐点とＬＰＦ６２ｂの分岐点との間にＬＩＡ１０１ｂを有している。
【００７３】
位相制御部１１０は、図４の位相制御部６０に対し、ＬＩＡが省略される。ＬＰＦ６２ａ，６２ｂには、ＬＩＡ１０１ａ，１０１ｂによって波形整形された信号が入力されるからである。従って、位相制御部１１０は、図４の位相制御部６０と同様に、適正にフィードバック制御をすることができる。
【００７４】
このように、Ａアーム１０ａおよびＢアーム１０ｂにＬＩＡ１０１ａ，１０１ｂを設けた場合、ＬＰＦ６１ａ，６１ｂ，６２ａ，６２ｂの出力にＬＩＡを設けなくても、適正にフィードバック制御を行うことができる。
【００７５】
次に、本発明の第７の実施の形態を図面を参照して詳細に説明する。第７の実施の形態では、第６の実施の形態に対し、フロントエンドモジュールにＥＤＣが追加されている。
図１０は、第７の実施の形態に係るＤＱＰＳＫ光受信装置のブロック構成図である。図１０において、図９と同じものには同じ符号を付し、その説明を省略する。なお、図１０のＤＱＰＳＫ光受信装置では、図９のＤＱＰＳＫ光受信装置に対し、フロントエンドモジュール１２０の構成が異なる。
【００７６】
フロントエンドモジュール１２０は、図９のフロントエンドモジュール１００に対し、Ａアーム１０ａのＬＰＦ６１ａの分岐点とＬＰＦ６２ａの分岐点との間にＥＤＣ１２１ａが設けられている。Ｂアーム１０ｂのＬＰＦ６１ｂの分岐点とＬＰＦ６２ｂの分岐点との間にＥＤＣ１２１ｂが設けられている。ＥＤＣ１２１ａ，１２１ｂは、光分散を電気的に補償する装置である。ＴＩＡ３２ａ，３２ｂから出力される信号は、ＥＤＣ１２１ａ，１２１ｂによって、電気的に光分散補償され、ＣＤＲ／ＤＥＭＵＸ４０に出力される。
【００７７】
このように、ＥＤＣ１２１ａ，１２１ｂによって電気分散補償を行っても、適正にフィードバック制御をすることができる。
なお、第１の実施の形態から第７の実施の形態のＤＱＰＳＫ光受信装置において、ＴＩＡ３２ａ，３２ｂは、差動信号を出力する差動出力のＴＩＡを用いることができる。また、ＬＩＡ８１ａ，８１ｂ，１０１ａ，１０１ｂは、差動信号を出力する差動出力のＬＩＡを用いることができる。このように、差動出力のＴＩＡおよびＬＩＡを用いることにより、ＴＩＡ３２ａ，３２ｂの一方の出力を主信号の配線（ＣＤＲ／ＤＥＭＵＸ４０への配線）に用い、他方の出力をフィードバック信号の配線（ＬＰＦ５１ａ，５１ｂまたはＬＰＦ６２ａ，６２ｂへの配線）に用いることができる。また、ＬＩＡ８１ａ，８１ｂ，１０１ａ，１０１ｂの一方の出力を主信号の配線に用い、他方の出力をフィードバック信号の配線に用いることができる。これにより、主信号のインピーダンス整合を考慮することなく、フィードバック信号の配線を分岐することができる。
【００７８】
（付記１）  ＤＱＰＳＫ変調の光信号を受信して復調するＤＱＰＳＫ光受信装置において、
第１のアームに設けられる第１の干渉計と、
第２のアームに設けられる第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタと、
前記第２の光−電気変換手段と第２のデータ再生回路との間から分岐した線路に設けられる第２のローパスフィルタと、
前記第１のローパスフィルタから出力される信号を増幅し、振幅制限する第１のリミッタアンプと、
前記第２のローパスフィルタから出力される信号を増幅し、振幅制限する第２のリミッタアンプと、
前記第１のリミッタアンプから出力される信号と前記第２のローパスフィルタから出力される信号とを乗算する第１のミキサと、
前記第２のリミッタアンプから出力される信号と前記第１のローパスフィルタから出力される信号とを乗算する第２のミキサと、
を有することを特徴とするＤＱＰＳＫ光受信装置。
【００７９】
（付記２）  前記第１の光−電気変換手段と前記第２の光−電気変換手段とのそれぞれの出力には、電流を電圧に変換する第１の電流−電圧変換アンプと第２の電流−電圧変換アンプとが接続されることを特徴とする付記１記載のＤＱＰＳＫ光受信装置。
【００８０】
（付記３）  前記第１の電流−電圧変換アンプおよび前記第２の電流−電圧変換アンプは、差動信号を出力することを特徴とする付記２記載のＤＱＰＳＫ光受信装置。
（付記４）  ＤＱＰＳＫ変調の光信号を受信して復調するＤＱＰＳＫ光受信装置において、
第１のアームに設けられる第１の干渉計と、
第２のアームに設けられる第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタおよび第２のローパスフィルタと、
前記第２の光−電気変換手段と第２のデータ再生回路との間から分岐した線路に設けられる第３のローパスフィルタおよび第４のローパスフィルタと、
前記第１のローパスフィルタから出力される信号を増幅し、振幅制限する第１のリミッタアンプと、
前記第３のローパスフィルタから出力される信号を増幅し、振幅制限する第２のリミッタアンプと、
前記第１のリミッタアンプから出力される信号と前記第４のローパスフィルタから出力される信号とを乗算する第１のミキサと、
前記第２のリミッタアンプから出力される信号と前記第２のローパスフィルタから出力される信号とを乗算する第２のミキサと、
を有することを特徴とするＤＱＰＳＫ光受信装置。
【００８１】
（付記５）  前記第１のアームの前記第１のローパスフィルタの分岐点と前記第２のローパスフィルタの分岐点との間に設けられる第１の電気分散補償装置と、
前記第２のアームの前記第３のローパスフィルタの分岐点と前記第４のローパスフィルタの分岐点との間に設けられる第２の電気分散補償装置と、
を有することを特徴とする付記４記載のＤＱＰＳＫ光受信装置。
【００８２】
（付記６）  前記第１のアームの前記第１のローパスフィルタの分岐点と前記第２のローパスフィルタの分岐点との間に設けられる第３のリミッタアンプと、
前記第２のアームの前記第３のローパスフィルタの分岐点と前記第４のローパスフィルタの分岐点との間に設けられる第４のリミッタアンプと、
を有することを特徴とする付記５記載のＤＱＰＳＫ光受信装置。
【００８３】
（付記７）  前記第３のリミッタアンプおよび前記第４のリミッタアンプは、差動信号を出力することを特徴とする付記６記載のＤＱＰＳＫ光受信装置。
（付記８）  前記第１のアームの前記第１のローパスフィルタの分岐点および前記第２のローパスフィルタの分岐点の後段に設けられる第５のリミッタアンプと、
前記第２のアームの前記第３のローパスフィルタの分岐点および前記第４のローパスフィルタの分岐点の後段に設けられる第６のリミッタアンプと、
を有することを特徴とする付記５記載のＤＱＰＳＫ光受信装置。
【００８４】
（付記９）  前記第１の光−電気変換手段と前記第２の光−電気変換手段とのそれぞれの出力には、電流を電圧に変換する第１の電流−電圧変換アンプと第２の電流−電圧変換アンプとが接続されることを特徴とする付記４記載のＤＱＰＳＫ光受信装置。
【００８５】
（付記１０）  前記第１の電流−電圧変換アンプおよび前記第２の電流−電圧変換アンプは、差動信号を出力することを特徴とする付記９記載のＤＱＰＳＫ光受信装置。
（付記１１）  ＤＱＰＳＫ変調の光信号を受信して復調するＤＱＰＳＫ光受信装置において、
第１のアームに設けられた第１の干渉計と、
第２のアームに設けられた第２の干渉計と、
前記第１の干渉計から出力される光信号を電気信号に変換する第１の光−電気変換手段と、
前記第２の干渉計から出力される光信号を電気信号に変換する第２の光−電気変換手段と、
前記第１の光−電気変換手段と第１のデータ再生回路との間から分岐した線路に設けられる第１のローパスフィルタおよび第２のローパスフィルタと、
前記第２の光−電気変換手段と第２のデータ再生回路との間から分岐した線路に設けられる第３のローパスフィルタおよび第４のローパスフィルタと、
前記第１のアームの前記第１のローパスフィルタの分岐点と前記第２のローパスフィルタの分岐点との間に設けられる第１のリミッタアンプと、
前記第２のアームの前記第３のローパスフィルタの分岐点と前記第４のローパスフィルタの分岐点との間に設けられる第２のリミッタアンプと、
前記第１のローパスフィルタの出力と前記第４のローパスフィルタの出力とを乗算する第１のミキサと、
前記第３のローパスフィルタの出力と前記第２のローパスフィルタの出力とを乗算する第２のミキサと、
を有することを特徴とするＤＱＰＳＫ光受信装置。
【００８６】
（付記１２）  前記第１のアームの前記第１のローパスフィルタの分岐点と前記第２のローパスフィルタの分岐点との間に設けられる第１の電気分散補償装置と、
前記第２のアームの前記第３のローパスフィルタの分岐点と前記第４のローパスフィルタの分岐点との間に設けられる第２の電気分散補償装置と、
を有することを特徴とする付記１１記載のＤＱＰＳＫ光受信装置。
【００８７】
（付記１３）  前記第１のリミッタアンプおよび前記第２のリミッタアンプは、差動信号を出力することを特徴とする付記１１記載のＤＱＰＳＫ光受信装置。
（付記１４）  前記第１の光−電気変換手段と前記第２の光−電気変換手段とのそれぞれの出力には、電流を電圧に変換する第１の電流−電圧変換アンプと第２の電流−電圧変換アンプとが接続されることを特徴とする付記１１記載のＤＱＰＳＫ光受信装置。
【００８８】
（付記１５）  前記第１の電流−電圧変換アンプおよび前記第２の電流−電圧変換アンプは、差動信号を出力することを特徴とする付記１４記載のＤＱＰＳＫ光受信装置。
【図面の簡単な説明】
【００８９】
【図１】第１の実施の形態に係るＤＱＰＳＫ光受信装置のブロック構成図である。
【図２】ＬＩＡの機能を説明する図である。
【図３】位相制御部の制御シミュレーション結果を示した図である。
【図４】第２の実施の形態に係るＤＱＰＳＫ光受信装置のブロック構成図である。
【図５】第３の実施の形態に係るＤＱＰＳＫ光受信装置のブロック構成図である。
【図６】位相制御部の制御シミュレーション結果を示した図である。
【図７】第４の実施の形態に係るＤＱＰＳＫ光受信装置のブロック構成図である。
【図８】第５の実施の形態に係るＤＱＰＳＫ光受信装置のブロック構成図である。
【図９】第６の実施の形態に係るＤＱＰＳＫ光受信装置のブロック構成図である。
【図１０】第７の実施の形態に係るＤＱＰＳＫ光受信装置のブロック構成図である。
【符号の説明】
【００９０】
１０ａ  Ａアーム
１０ｂ  Ｂアーム
２０ａ，２０ｂ  マッハツェンダ光干渉計
３０  フロントエンドモジュール
３１ａ，３１ｂ  バランスド光検出器
３２ａ，３２ｂ  ＴＩＡ
４０  ＣＤＲ／ＤＥＭＵＸ
５０  位相制御部
５１ａ，５１ｂ  ＬＰＦ
５２ａ，５２ｂ  ＬＩＡ
５３ａ，５３ｂ  ミキサ
５４ａ，５４ｂ  平均化回路
５５  干渉計制御部
【図１】
0005012457.tif 000002
【図２】
0005012457.tif 000003
【図３】
0005012457.tif 000004
【図４】
0005012457.tif 000005
【図５】
0005012457.tif 000006
【図６】
0005012457.tif 000007
【図７】
0005012457.tif 000008
【図８】
0005012457.tif 000009
【図９】
0005012457.tif 000010
【図１０】
0005012457.tif 000011